(57)【要約】【解決手段】カバーアセンブリは、偏向端子を支持する底面およびコネクタを含み、コネクタから電力を受信し、かつ電力を偏向端子に指向する底面上に装着されるコントローラをさらに含む。底面上に形成されるトレースは、コネクタをコントローラに、かつコントローラを偏向端子に電気的に連結し得る。【選択図】図１
2015118900.tif 000002
【特許請求の範囲】
【請求項１】
カバーアセンブリであって、
開口と、支持面から離間するように構成される底面と、を有する、カバーと、
前記底面上に装着されるコントローラと、
筐体によって支持される第１の偏向端子および第２の偏向端子と、
２つの端子を含む、前記カバーに装着されるコネクタと、
前記２つの端子と前記コントローラとの間に延在する第１の対のトレースと、
前記コントローラと前記偏向端子との間に延在する第２の対のトレースと、を備え、前記第１および第２の対のトレースが、前記コントローラを介して前記コネクタから前記偏向端子に電力を提供するように構成される、カバーアセンブリ。
【請求項２】
前記カバーが、前記底面を支持面上に位置付けるように構成される垂直壁を含む、請求項１に記載のカバーアセンブリ。
【請求項３】
前記第１の対のトレースが、前記２つの端子に電気的に接続され、前記偏向端子が、前記第２の対のトレースに電気的に接続される、請求項２に記載のカバーアセンブリ。
【請求項４】
前記偏向端子が、前記カバーにはんだ付けされる、請求項３に記載のカバーアセンブリ。
【請求項５】
前記コネクタが、支持面に平行な方向にコネクタを受容するように構成される側方開口部を有する、請求項４に記載のカバーアセンブリ。
【請求項６】
前記開口内に位置付けされ、かつ２つの保持部材によって支持されるＬＥＤアレイをさらに備える、請求項５に記載のカバーアセンブリ。
【請求項７】
前記コントローラが、アンテナに連結され、かつ無線信号を受信するように構成される、請求項６に記載のカバーアセンブリ。
【請求項８】
前記カバーが、ＬＥＤアレイを前記開口と整列させるように構成される少なくとも３つの表面を含む、請求項１に記載のカバーアセンブリ。
【発明の詳細な説明】
【技術分野】
【０００１】
本出願は、２０１３年１２月１７日に出願された米国仮出願第６１／９１７，２２２号に対する優先権を主張するものであり、参照によりその全体が本明細書に組み込まれる、。
【０００２】
本発明は、発光ダイオード（ＬＥＤ）照明の分野に関する。
【背景技術】
【０００３】
ＬＥＤは、全般照明を提供する能力で知られている。近年の進歩がＬＥＤを費用効率の高い効率的なものにしており、ＬＥＤが近い将来主要な照明源となる可能性がある。ＬＥＤの性能や特性が向上し続ける一方で、ある用途におけるＬＥＤの使用は、依然として困難である場合がある。ある用途のために、ＬＥＤに電力供給し、かつＬＥＤを支持する改善されたシステムが歓迎されるであろう。
【発明の概要】
【発明が解決しようとする課題】
【０００４】
ＬＥＤを所定位置に固定するためにホルダーが使用されることもある。ホルダーは、ＬＥＤアレイを所定位置に固定するのに役立ち得るが、現行のホルダーは、必要とされるすべての機能性を必ずしも提供するとは限らず、したがって人々は、ホルダーのさらなる改善を歓迎するであろう。
【課題を解決するための手段】
【０００５】
ホルダーは、電力コネクタと、ＬＥＤアレイの上面上の接触部と係合するように構成される端子とを含む。ホルダーの底面上のトレースは、電力コネクタを端子に電気的に接続するために使用され得る。所望の場合、集積回路は、ＬＥＤの機能性を制御する助けとなるように、カバーの底面上に提供され得る。したがって、ホルダーは、さらなる機能性も支持しながら、ホルダー機能に加えてカバーを提供し得る。
【０００６】
本発明は、一例として説明されており、同様の参照符号が類似の要素を示す添付の図面において限定されるものではない。
【図面の簡単な説明】
【０００７】
【図１】カバーおよびＬＥＤアセンブリの実施形態の斜視図である。
【図２】図１に示される実施形態の別の斜視図である。
【図３】カバーの実施形態の斜視底面図である。
【図４】図３に示される実施形態の別の斜視図である。
【図５】図３に示される実施形態の底面図である。
【発明を実施するための形態】
【０００８】
以下に続く発明を実施するための形態は、例示の実施形態を説明するものであり、具体的に開示される組み合わせ（複数を含む）に限定されるよう意図されていない。したがって、別途言及されない限り、本明細書に開示されている特性をともに組み合わせて、さらなる組み合わせを形成してもよいが、それらの組み合わせは、簡潔化のために別途示されていない。
【０００９】
図１〜５は、光がカバー１０を通過することを可能にする光開口２７を有するカバー１０の特性を説明する。カバー１０は、それぞれ、表面３１ａ、３２ａ、３３ａ、および３４ａを介して、ＬＥＤアレイ７０の設置および位置付けの助けとなる１つ以上の保持部材３０（ペグ３１、ショルダー３２、ペグ３３、およびショルダー３４等）を含む。
【００１０】
ＬＥＤアレイ７０は、基部７５上に位置付けられるチップオンボード（ＣＯＢ）スタイルのＬＥＤアレイとして構成されてもよい。基部は、ＣＯＢスタイルのＬＥＤアレイで知られているように、アルミニウムから形成され、かつ絶縁コーティングを有してもよい。ＬＥＤアレイ７０は、あるパターンで１つ以上のＬＥＤを含んでもよく、ＬＥＤは、アノードおよびカソードに電気的に接続される。偏向端子４１、４２は、カバーによって支持され、それらがＬＥＤアレイ７０上のアノードおよびカソード接触部に係合するときに偏向するように構成され、したがって、電力をＬＥＤアレイ７０に提供することができる。
【００１１】
コントローラ５０は、カバー１０の底面１１上に装着され、コントローラ５０は、ブリッジ整流器および増幅器等の他の制御回路、ならびに通信機能性を含んでもよく、入力電力を受信し、電力を対応するＬＥＤアレイに提供する。当然ながら、所与の用途および所望の電源入力（交流対直流等）に適切であるように、さらなる回路が追加されてもよい。さらに、既知であるように、回路は、分離され、２つ以上の別個の構成要素として提供されてもよい。したがって、コントローラ５０の設計は、所望に応じて変化し得る。
【００１２】
理解され得るように、カバー１０は、ＬＥＤアレイの異なる形状に係合するように構成されてもよく、内蔵型光成形特性（反射体２５等）を含んでもよく、カバー１０が支持体表面（図示されず）にしっかりと装着されることを可能にする締結開口２８をさらに含む。カバー１０は、さらなる光成形制御が所望される場合、レンズ（図示されず）をさらに含んでもよい。
【００１３】
示されるカバー１０は、複数の端子６２を支持する筐体６１を有するコネクタ６０を含む。示されるコネクタ６０は、支持体表面（図示されず）に平行であると見なされ得る方向に挿入される嵌合コネクタを受容するように構成される側方開口部６０ａを含む。言うまでもなく、支持体表面は、実際に平面でない場合があり、したがって、挿入方向は、実際には、実際の支持面に平行であってもよいが、これは、依然として、支持体表面に平行であると見なされ得る。あるいは、コネクタ６０は、支持体表面に垂直な方向にコネクタ６０に嵌合するように構成される開口部を含んでもよい。コネクタ６０をカバー１０に固定するために、端子６２は、カバーの底側上に形成されるパッド６３にはんだ付けされてもよい。パッド６３は、カバー１０の底側上に形成されるトレース４６、４７に接続されてもよく、かつコントローラ５０に電気的に接続される。その後、トレース４４、４５は、コントローラ５０をカバー１０によって支持される端子４１、４２に接続する。好ましくは、端子４１、４２は、それぞれ、トレース４４、４５のいずれかにはんだ付けされる。したがって、第１の対のトレースは、コネクタ６０とコントローラ５０との間に延在し、第２の対のトレースは、延在するコントローラ５０と偏向端子４１、４２との間に延在する。理解され得るように、別個の構成要素が所望される場合、さらなる特性および構成要素がトレース上に提供され得る。
【００１４】
カバー１０が、コントローラ５０に連結されるアンテナ８０をさらに含み得ることに留意されたく、これは、トランシーバを含むか、またはトランシーバに電気的に連結されるかのいずれかによって無線信号を受信および送信するように構成され得る。そのような構築物は、無線信号を受信／送信することによってカバー１０が無線様式で機能することを可能にする。アンテナ８０は、底面１１上に位置付けられ得るか、または示されるように提供される場合、アンテナ８０は、カバー１０の垂直壁１２上に位置付けられ得る。理解され得るように、垂直壁１２の高さを用いて、カバーアセンブリの厚さを決定することができる。垂直壁１２のため、カバー１０の底面１１は、支持面から離間し得る。
【００１５】
トレースが無電解めっきによってカバー上に形成され得ることに留意されたい。したがって、カバーは、従来のレーザ直接構造化（ＬＤＳ）技法を用いて形成され得る。しかしながら、プラスチック上にトレースを形成する他の方法も好適であり、ＬＤＳを用いる能力が限定されるようには意図されない。
【００１６】
本明細書に提供される本発明は、その好ましい例示の実施形態に関する特性を説明する。本発明を概説することにより、添付の特許請求の範囲および趣旨の範囲内において多数の他の実施形態、修正、および変更が、当業者に明らかにあるであろう。
【産業上の利用可能性】
【００１７】
本発明は、カバーアセンブリに適用することができる。
【図１】
2015118900.tif 000003
【図２】
2015118900.tif 000004
【図３】
2015118900.tif 000005
【図４】
2015118900.tif 000006
【図５】
2015118900.tif 000007
【手続補正書】
【提出日】平成27年3月24日(2015.3.24)
【手続補正１】
【補正対象書類名】特許請求の範囲
【補正対象項目名】全文
【補正方法】変更
【補正の内容】
【特許請求の範囲】
【請求項１】
カバーアセンブリであって、
開口と、支持面から離間するように構成される底面と、を有するカバーであって、前記底面を支持面の上方に位置付けるように構成される垂直壁と、ＬＥＤアレイを前記開口と整列させるように構成される２つのペグとを含む、カバーと、
前記底面上に装着されるコントローラと、
前記底面上に装着される第１の偏向端子および第２の偏向端子であって、前記ＬＥＤアレイと接触係合するように構成される第１の偏向端子および第２の偏向端子と、
２つの端子を含む、前記カバーに装着されるコネクタと、
前記２つの端子と前記コントローラとの間に延在する第１の対のトレースと、
前記コントローラと前記第１の偏向端子および第２の偏向端子との間に延在する第２の対のトレースと、を備え、前記第１および第２の対のトレースが、前記コントローラを介して前記コネクタから前記第１の偏向端子および第２の偏向端子に電力を提供するように構成される、カバーアセンブリ。
【請求項２】
前記カバーが、前記底面を支持面上に位置付けるように構成される垂直壁を含む、請求項１に記載のカバーアセンブリ。
【請求項３】
前記第１の対のトレースが、前記２つの端子に電気的に接続され、前記第１の偏向端子および第２の偏向端子が、前記第２の対のトレースに電気的に接続される、請求項２に記載のカバーアセンブリ。
【請求項４】
前記第１の偏向端子および第２の偏向端子が、前記カバーにはんだ付けされる、請求項３に記載のカバーアセンブリ。
【請求項５】
前記コネクタが、支持面に平行な方向に嵌合コネクタを受容するように構成される側方開口部を有する、請求項４に記載のカバーアセンブリ。
【請求項６】
前記開口内に位置付けされ、かつ２つの保持部材によって支持されるＬＥＤアレイをさらに備える、請求項５に記載のカバーアセンブリ。
【請求項７】
前記コントローラが、アンテナに連結され、かつ無線信号を受信するように構成され、前記アンテナは少なくとも一部が前記垂直壁上に位置する、請求項６に記載のカバーアセンブリ。
【請求項８】
前記カバーが、ＬＥＤアレイを前記開口と整列させるように構成される少なくとも３つの表面を含む、請求項１に記載のカバーアセンブリ。